(57)【要約】【課題】  画像の形状、画像表示部の表示面積を有効に利用することができる撮像装置を提供する。【解決手段】  装置本体２と、装置本体の前面側に設けられた撮影レンズ３を介して被写体からの被写体光を撮像する撮像素子と、装置本体の前面側とは反対側である背面側に設けられ、少なくとも前記撮像素子から読出された撮像信号または記録媒体に記録された撮像信号に基づく撮影画像を表示する第１表示部５と、少なくとも前記撮影画像に関する情報である関連情報を表示する第２表示部６とを備え、第１表示部を遮蔽するように当該第１表示部に該第２表示部を重ね合わせた第１状態と当該第１表示部が露出するように当該第１表示部の表示面から該第２表示部を繰出させた第２状態との間で、第２表示部の配置状態を切り換え可能な表示ユニットと、表示ユニットの、第２状態下での第２表示部の第１表示部に対する繰出量を検出する検出部と、検出部による検出値に応じて、少なくとも第２表示部に表示される関連情報の表示態様を制御する表示制御部とを備える。【選択図】  図２
2010035145.tif 000002
【特許請求の範囲】
【請求項１】
装置本体と、
前記装置本体の前面側に設けられた撮影レンズを介して被写体からの被写体光を撮像する撮像素子と、
前記装置本体の前記前面側とは反対側である背面側に設けられ、少なくとも前記撮像素子から読出された撮像信号または記録媒体に記録された撮像信号に基づく撮影画像を表示する第１表示部と、少なくとも前記撮影画像に関する情報である関連情報を表示する第２表示部とを備え、前記第１表示部を遮蔽するように当該第１表示部に該第２表示部を重ね合わせた第１状態と当該第１表示部が露出するように当該第１表示部の表示面から該第２表示部を繰出させた第２状態との間で、前記第２表示部の配置状態を切り換え可能な表示ユニットと、
前記表示ユニットの、前記第２状態下での前記第２表示部の前記第１表示部に対する繰出量を検出する検出部と、
前記検出部による検出値に応じて、少なくとも前記第２表示部に表示される前記関連情報の表示態様を制御する表示制御部と、
を備えることを特徴とする撮像装置。
【請求項２】
前記表示制御部は、前記撮影画像の撮像時の縦横比に応じて、前記第２表示部での前記撮影画像の表示態様と、前記第１表示部での前記関連情報の表示態様とをそれぞれ制御することを特徴とする請求項１記載の撮像装置。
【請求項３】
前記撮像素子は、前記撮像時の縦横比を任意の縦横比として前記撮像信号を読出し可能であることを特徴とする請求項１または請求項２記載の撮像装置。
【請求項４】
前記表示制御部は、前記撮影画像の前記縦横比が縦長の第１所定比であり、かつ前記繰出量が最大である場合に、前記撮影画像を縦方向に二等分割し、前記第１表示部に分割された一方を表示し、前記第２表示部に分割された他方を表示することを特徴とする請求項２または請求項３記載の撮像装置。
【請求項５】
前記表示制御部は、前記撮影画像の前記縦横比が縦長の第２所定比であり、かつ前記繰出量が最大である場合に、前記撮影画像を縦方向に不均等な大きさに二分割し、前記第１表示部に分割された一方を表示し、前記第２表示部に分割された他方を表示することを特徴とする請求項２または請求項３記載の撮像装置。
【請求項６】
前記表示制御部は、
撮像中の動画像または前記記録媒体に記録されている動画像を、前記撮影画像として前記第２表示部に表示せしめ、
前記動画像の撮像中に静止画像の撮影指示がなされたタイミングで得られた静止画像の縮小画像を、前記関連情報として前記第１表示部に表示せしめるよう、前記第１、第２表示部を制御することを特徴とする請求項１〜請求項３の何れか一項に記載の撮像装置。
【請求項７】
前記表示制御部は、
前記撮影画像として撮像中の連写画像または前記記録媒体に記録されている連写画像を、前記撮影画像として前記第２表示部に表示せしめ、
予め設定された所定条件に基づいて前記連写画像の中から自動抽出された画像の縮小画像または前記連写画像の撮像を開始する所定時間前から予め自動撮像された画像の縮小画像を、前記関連情報として前記第１表示部に表示せしめることを特徴とする請求項１〜請求項３の何れか一項に記載の撮像装置。
【請求項８】
前記表示制御部は、
前記撮影画像を前記第２表示部に表示せしめ、
前記記録媒体に記録されている撮影画像の中から、前記第２表示部に表示されている前記撮影画像に基づいて自動抽出された撮影画像の縮小画像を、前記関連情報として前記第１表示部に表示せしめることを特徴とする請求項１〜請求項３の何れか一項に記載の撮像装置。
【請求項９】
前記表示制御部は、前記繰出量に応じて、前記第１表示部に表示される前記縮小画像の表示数及び表示サイズの少なくとも一方を制御することを特徴とする請求項６〜請求項８の何れか一項に記載の撮像装置。
【請求項１０】
前記表示制御部は、前記第１表示部の表示領域上であって、前記縮小画像が表示されていない領域に、前記縮小画像に関する情報を表示せしめることを特徴とする請求項６〜請求項９の何れか一項に記載の撮像装置。
【請求項１１】
前記表示制御部は、
前記撮像信号に基づき生成されるスルー画像または前記記録媒体に記録されている画像を、前記撮影画像として前記第２表示部に表示せしめ、
前記第２表示部に表示されている前記撮影画像の位置を含む地図情報を、前記関連情報として前記第１表示部に表示せしめることを特徴とする請求項１〜請求項３の何れか一項に記載の撮像装置。
【請求項１２】
前記表示制御部は、前記繰出量に応じて、前記第１表示部に表示される前記地図の縮尺率及びエリアの少なくとも一方を制御することを特徴とする請求項１１記載の撮像装置。
【請求項１３】
前記表示制御部は、前記第１表示部の表示領域上であって前記地図情報が表示されていない領域上に、前記地図情報に含まれる所定位置で撮像され且つ前記記録媒体に記録されている画像及び該画像に関する情報の少なくとも一方を表示せしめることを特徴とする請求項１１または請求項１２記載の撮像装置。
【請求項１４】
前記表示制御部は、前記第１表示部の表示領域上の、前記縮小画像または前記地図情報が表示されない領域上に、前記第１表示部の表示面に対する接触操作を検出するタッチパネルのためのタッチパネル画像を表示せしめることを特徴とする請求項６〜請求項１３の何れか一項に記載の撮像装置。
【請求項１５】
前記表示制御部は、前記第１表示部及び前記第２表示部の少なくとも一方の、前記撮影画像が表示されない領域上に、前記撮影画像に関する情報を表示することを特徴とする請求項１〜請求項１４の何れか一項に記載の撮像装置。
【請求項１６】
前記表示制御部は、前記繰出量に応じて、前記撮影画像に関する情報の表示量及び表示形式の少なくとも一方を制御することを特徴とする請求項１５記載の撮像装置。
【請求項１７】
前記表示形式は、文字による表示及び記号による表示を含むことを特徴とする請求項１６記載の撮像装置。
【発明の詳細な説明】
【技術分野】
【０００１】
本発明は、被写体光を撮像する撮像装置に関するものである。
【背景技術】
【０００２】
カメラ等の撮像装置においては、装置本体の背面側に、撮影レンズを介した被写体光を撮像する撮像素子からのリアルタイム画像であるスルー画像、または記録媒体等に記録されている画像等を表示する画像表示部を備えている（例えば、特許文献１参照）。
【先行技術文献】
【特許文献】
【０００３】
【特許文献１】特開２００６−３１３１９７号公報
【発明の概要】
【発明が解決しようとする課題】
【０００４】
ところで、上述の撮像装置においては、横長の矩形状を有する画像表示部を備えているため、被写体を縦位置で撮影したい場合または縦位置で撮影された画像を表示したい場合等、画像表示部の全体に画像の表示を行うことができない場合があり、画像表示部の全体を有効に利用することができない場合があった。
【０００５】
本発明の目的は、画像表示部の表示面積を有効に利用することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置（１）は、装置本体（２）と、前記装置本体（２）の前面側に設けられた撮影レンズ（３）を介して被写体からの被写体光を撮像する撮像素子（８）と、前記装置本体（２）の前記前面側とは反対側である背面側に設けられ、少なくとも前記撮像素子（８）から読出された撮像信号または記録媒体に記録された撮像信号に基づく撮影画像を表示する第１表示部（５）と、少なくとも前記撮影画像に関する情報である関連情報を表示する第２表示部（６）とを備え、前記第１表示部（５）を遮蔽するように当該第１表示部（５）に該第２表示部（６）を重ね合わせた第１状態と当該第１表示部（５）が露出するように当該第１表示部（５）の表示面から該第２表示部（６）を繰出させた第２状態との間で、前記第２表示部（６）の配置状態を切り換え可能な表示ユニットと、前記表示ユニットの、前記第２状態下での前記第２表示部（６）の前記第１表示部（５）に対する繰出量を検出する検出部（１５）と、前記検出部（１５）による検出値に応じて、少なくとも前記第２表示部（６）に表示される前記関連情報の表示態様を制御する表示制御部（７）とを備えることを特徴とする。
【発明の効果】
【０００８】
本発明の撮像装置によれば、画像表示部の表示面積を有効に利用することができる。
【図面の簡単な説明】
【０００９】
【図１】実施の形態に係るカメラの外観を示す側面図である。
【図２】実施の形態に係るカメラの外観を示す側面図である。
【図３】実施の形態に係るカメラのシステム構成を示すブロック図である。
【図４】実施の形態に係る撮像素子の構成を示す図である。
【図５】実施の形態に係るカメラの撮影時の動作を説明するためのフローチャートである。
【図６】実施の形態に係る第１表示部及び第２表示部の表示例を示す図である。
【図７】実施の形態に係る第１表示部及び第２表示部の表示例を示す図である。
【図８】実施の形態に係る第１表示部及び第２表示部の表示例を示す図である。
【図９】実施の形態に係る第１表示部及び第２表示部の表示例を示す図である。
【図１０】実施の形態に係る第１表示部及び第２表示部の表示例を示す図である。
【図１１】実施の形態に係る第１表示部及び第２表示部の表示例を示す図である。
【図１２】実施の形態に係る第１表示部及び第２表示部の表示例を示す図である。
【図１３】実施の形態に係る第１表示部及び第２表示部の表示例を示す図である。
【図１４】実施の形態に係る第１表示部及び第２表示部の表示例を示す図である。
【図１５】実施の形態に係る第１表示部及び第２表示部の表示例を示す図である。
【図１６】実施の形態に係る第１表示部及び第２表示部の表示例を示す図である。
【図１７】実施の形態に係る第１表示部及び第２表示部の表示例を示す図である。
【発明を実施するための形態】
【００１０】
以下、図面を参照して本発明の実施の形態に係るカメラについて説明する。図１は、実施の形態に係るカメラ１の外観を示す側面図である。図１に示すように、カメラ１は、金属やプラスティック等からなるカメラ本体２、カメラ本体２の前面２ｃ側に交換（着脱）可能に設けられ、被写体からの被写体光を後述する撮像素子８に送光する撮影レンズ３、及びカメラ本体２（背面２ｂ）に対して図中矢印方向にスライド移動可能に構成されているスライド部材４を備えている。
【００１１】
図２は、スライド部材４を図中矢印方向にスライド移動させたときのカメラ１の外観を示す側面図である。図２に示すように、カメラ１は、撮像素子８（図３参照）からのリアルタイム画像であるスルー画像等を表示し、表示ユニットを構成する第１表示部５及び第２表示部６を備えている。第１表示部５はカメラ本体２の前面２ｃ側とは反対側である背面２ｂ側の傾斜面上に設けられ、第２表示部６はスライド部材４上に設けられている。図１及び図２に示すように、カメラ１は、第１表示部５を遮蔽するように第１表示部５に第２表示部６を重ね合わせた第１状態と、第１表示部５が露出するように第１表示部５の表示面から第２表示部６を繰出させた第２状態との間で、第２表示部６の配置状態を切換可能に構成されている。この第２状態のときには、第２表示部６は、カメラ本体２の上面２ａから突出した状態となる。
【００１２】
即ち、第１状態は、図１に示すように、スライド部材４により第１表示部５の表示面が遮蔽されて、ユーザーが第１表示部５の表示面を目視できない状態であり、第２状態は、例えば図２に示すように、スライド部材４をスライド移動させて第１表示部５の表示面の少なくとも一部が露出されて、ユーザーが第１表示部５の表示面の少なくとも一部を目視できる状態である。なお、スライド部材４は、任意のスライド位置で保持可能に構成されている。
【００１３】
図３は、カメラ１のシステム構成を示すブロック図である。図３に示すように、カメラ１は、マイクロプロセッサ等により構成され、カメラ１の各部を統括的に制御する制御部７を備えている。撮像素子８は、ＣＣＤまたはＣＭＯＳ等により構成され、図１に示す撮影レンズ３を介した被写体光を撮像する。そして、制御部７は、撮像素子８から撮像信号の読出しを行う。撮像素子８は、図４に示すように、略正方形状を有しており、撮像時の縦横比を任意の縦横比として撮像信号を読出し可能に構成されている。即ち、Ｘ方向（横方向）を長手方向とする矩形状、例えば縦横比が縦：横＝２：３の画像を撮像する場合、図中実線で示す領域１０の撮像信号を読出す。また、Ｙ方向（縦方向）を長手方向とする矩形状、例えば縦横比が縦：横＝３：２の画像を撮像する場合、図中破線で示す領域１１の撮像信号を読出す。なお、例えば縦横比が縦：横＝３：４または４：３等、撮像素子８から読出す撮像信号の領域を、後述する操作部１４を介して自由に設定することができる。
【００１４】
撮像素子８から読み出された撮像信号は、図示しないＡ／Ｄ変換回路を介して、画像処理部１２に入力される。画像処理部１２は撮像信号に基づく画像データを生成し、生成された画像データは、撮像比率（縦横比）、撮影日時、露出等の情報と共に、Ｅｘｉｆ（Ｅｘｃｈａｎｇａｂｌｅ  ｉｍａｇｅ  ｆｉｌｅ  ｆｏｒｍａｔ）等の所定の形式で、記録媒体１３に記録される。記録媒体１３は、カメラ１に設けられたカードスロット（図示せず）に着脱可能に装着される可搬性を有する記録媒体であり、例えば、ＣＦカード、ＳＤカード、スマートメディア等が用いられる。なお、カメラ１は静止画像及び動画像を撮像することができ、記録媒体１３には静止画像及び動画像の画像データが記録されている。
【００１５】
第１表示部５及び第２表示部６は、撮像素子８から読出された撮像信号に基づく撮影画像（リアルタイム画像であるスルー画像）または記録媒体１３に記録された撮像信号に基づく撮影画像、及び記録媒体１３に記録されている撮影画像に関する情報（撮像条件や撮影画像の一部など）である関連情報やメニュー（選択項目）等を表示する。少なくとも第２表示部６（この実施の形態では第１表示部５及び第２表示部６）に表示される関連情報の表示態様は、第２表示部６の第１表示部５に対する繰出量、即ち、スライド部材４のスライド移動量に応じて、制御部７により制御されている。制御部７による第１表示部５及び第２表示部６の表示態様の制御についての詳細な説明は後述する。
【００１６】
操作部１４は、電源をオン／オフする電源スイッチ、撮影等を指示するためのレリーズボタン、第１表示部５または第２表示部６にメニュー等を表示させるためのメニューボタン、撮影モードを選択するためのモードボタン、撮像比率の設定やメニュー項目の選択等を行うための十字キー、決定ボタン（ＯＫボタン）等を含んで構成されている。検出部１５は、スライド部材４上に、あるいは、スライド部材４を支持するカメラ本体２側に設けられたスライド支持部（不図示）近傍に配置されており、第２表示部６の第１表示部５に対する繰出量、即ちスライド部材４のスライド移動量を検出する。検出部１５により検出された検出値は、制御部７に対して出力される。
【００１７】
次に、図５に示すフローチャートを用いて、実施の形態に係るカメラ１の撮影時の動作について説明する。なお、この実施の形態においては、第１表示部５及び第２表示部６それぞれの表示面積の縦横比が縦：横＝２：３であるものとして説明を行う。また、カメラ１は、縦位置撮影モード及び横位置撮影モードを有しており、ユーザーは操作部１４に含まれるモードボタンを操作することにより何れかの撮影モードを選択することができる。なお、縦位置撮影モードとは、撮像素子８からＹ方向（縦方向）を長手方向とする矩形状の領域１１（図４参照）の撮像信号を読出し、縦長画像の画像データを生成するモードである。また、横位置撮影モードとは、撮像素子８からＸ方向（横方向）を長手方向とする矩形状の領域１０（図４参照）の撮像信号を読出し横長画像の画像データを生成するモードのことである。なお、本フローチャートでは、撮影モードが縦位置撮影モードに設定されている場合の動作を説明するものとする。
【００１８】
まず、制御部７は、ユーザーによりカメラ１の電源スイッチがオンされ（ステップＳ１０）、モードボタンにより縦位置撮影モードが選択されたことを認識する（ステップＳ１１）。
【００１９】
次に、制御部７は、ユーザーにより予め設定されている撮像比率を取得する（ステップＳ１２）。ここで、撮像比率とは、領域１１の縦（図４に示すＹ方向）の長さと横（図４に示すＸ方向）の長さの比のことである。この実施の形態に係るカメラ１においては、ユーザーにより撮像比率である縦横比をマニュアルで所望の比率に設定可能に構成されている。例えば、操作部１４に含まれる十字キー等を用いてユーザーにより縦横比を入力させる。または、例えば縦位置撮影モードであれば縦：横＝３：２または４：３、横位置撮影モードであれば縦：横＝２：３または３：４等予め幾つかの縦横比を設定しておき、ユーザーにより何れかの撮像比率を選択させる。
【００２０】
次に、制御部７は、検出部１５により検出される第２表示部６の第１表示部５に対する繰出量（以下、単に繰出量という）を取得する（ステップＳ１３）。繰出量が最小のときは第１表示部５がスライド部材４により完全に遮蔽されており、繰出量が最大のときは第１表示部５の表示面の全部が露出されている。次に、制御部７は、ステップＳ１１において取得した撮像比率、及びステップＳ１２において取得した繰出量から、第１表示部５及び第２表示部６の表示状態を決定し（ステップＳ１４）、撮像素子８からの撮像信号に基づくスルー画像を表示する（ステップＳ１５）。
【００２１】
具体的には、制御部７は、ユーザーにより選択された撮影モード及びステップＳ１２において取得した撮像比率から撮像素子８の撮像信号の読出しを行う領域を決定し、撮像素子８からその決定された領域の撮像信号の読出しを行う。そして、例えば、撮像比率である縦横比が縦：横＝３：２、繰出量が最大である場合、撮像素子８からの撮像信号に基づくスルー画像２０を縦方向に二等分割する。そして、図６に示すように、スルー画像２０の分割された上部の部分画像２０ａを第２表示部６の略全面に表示し、スルー画像２０の分割された下部の部分画像２０ｂを第１表示部５の略全面に表示する。即ち、第１表示部５及び第２表示部６双方の表示面（表示面積）を用いて、１つのスルー画像２０の表示を行う。
【００２２】
また、例えば、縦横比が縦：横＝４：３、繰出量が最大である場合、スルー画像２１を縦方向に不均等な大きさ（上半分の大きさ＞下半分の大きさ）に二分割する。そして、図７に示すように、スルー画像２１の分割された上部の部分画像２１ａを第２表示部６の全面に表示し、スルー画像２１の分割された下部の部分画像２１ｂを第１表示部５に表示する。部分画像２１ｂは部分画像２１ａより大きさが小さく、部分画像２１ｂを表示する第１表示部５には画像が表示されない領域である余白部２２が発生する。この余白部２２については後述する。
【００２３】
また、例えば、縦横比が縦：横＝３：２、繰出量が最大量の半量である場合、スルー画像２３を縦方向に不均等な大きさ（上半分の大きさ＞下半分の大きさ）に二分割する。そして、図８に示すように、スルー画像２３の分割された上部の部分画像２３ａを第２表示部６に表示し、スルー画像２３の分割された下部の部分画像２３ｂを第１表示部５に表示する。第１表示部５には余白部２４が発生し、第２表示部６にも余白部２５が発生する。
【００２４】
また、例えば、縦横比が４：３、繰出量が最大量の約３／４量である場合、スルー画像２６を縦方向に不均等な大きさ（上半分の大きさ＞下半分の大きさ）に二分割する。そして、図９に示すように、スルー画像２６の分割された上部の部分画像２６ａを第２表示部６の略全面に表示し、スルー画像２６の分割された下部の部分画像２６ｂを第１表示部５の露出している略全面に表示する。図６〜図９の例に示すように、制御部７は、撮像比率及び繰出量から、第１表示部５及び第２表示部６双方の表示面を用いて、双方の表示面に表示可能な最大のサイズで画像の表示を行う。
【００２５】
なお、繰出量が０の場合、第１表示部５の表示面はスライド部材４により全面遮蔽されているため、スルー画像を第２表示部６に表示する。この場合、横長の表示面に対して縦長のスルー画像を表示するため、第２表示部６には余白部が発生する。また、横位置撮影モードが選択されている場合、繰出量にかかわらず、スルー画像を第２表示部６に表示する。
【００２６】
次に、制御部７は、第１表示部５及び第２表示部６の少なくとも一方に余白部があるか否かを判別する（ステップＳ１６）。例えば図７または図８に示すような表示状態の場合、制御部７は、余白部があると判別し（ステップＳ１６、Ｙｅｓ）、表示されているスルー画像に関する画像情報を余白部に表示する（ステップＳ１７）。画像情報には、選択されている撮影モード、撮像比率、設定されているシャッタ速度（ＴＶ）及び絞り値（ＡＶ）等の撮影に関する情報（撮影条件情報）や、それら情報を変更設定するためのメニュー画面等が含まれる。
【００２７】
制御部７は、余白部の大きさに応じて画像情報の表示量及び表示形式を決定する。具体的には、余白部が小さい場合には、画像情報として表示する項目の数を減少させて表示量を少なくし、余白部が大きい場合には、項目の数を増大させて表示量を多くする。また、余白部が小さい場合には、表示形式として記号、省略文字または小さい文字等を使用して画像情報を表示し、余白部が大きい場合には、表示形式として大きい文字等を使用して画像情報を表示するようにしてもよい。
【００２８】
一方、例えば図６または図９に示すような表示状態の場合、制御部７は、余白部がないと判別し（ステップＳ１６、Ｎｏ）、ステップＳ１８に進む。なお、余白部がないときには、スルー画像上に上述の撮影情報等を重畳表示させるようにしてもよい。次に、制御部７は、レリーズボタンが押下された旨の信号を操作部１４より取得したとき（ステップＳ１８，Ｙｅｓ）、撮像素子８で撮像している画像の撮影動作（取得及び記録）を行なう（ステップＳ１９）。ステップＳ１９により撮影された画像は、撮影モード、撮像比率（縦横比）、撮影日時、露出等の情報と共に記録媒体１３に記録される。
【００２９】
なお、図５のフローチャートを用いて撮影時の動作について説明したが、記録媒体１３に記録されている画像を読み込み、表示する場合（再生表示する場合）においても、第１表示部５及び第２表示部６を用いて画像の表示を行う。この場合には、図５のフローチャートに示すステップＳ１２〜Ｓ１７の動作を行う。なお、撮像比率の情報は、記録されている画像に付随して記録媒体１３に記録されているものを使う。
【００３０】
また、図５のフローチャートを用いて縦位置撮影モードにおいて撮影する際の第１表示部５及び第２表示部６に表示される画像及び画像情報について説明したが、横位置撮影モードにおいて撮影する場合には、スルー画像または記録媒体１３に記録されている画像を第２表示部６に表示し、第２表示部６に表示されている画像に関する情報である関連情報を第１表示部５に表示することができる。
【００３１】
例えば、縦横比が縦：横＝２：３、繰出量が最大である場合には、図１０に示すように、制御部７は、撮像中の動画像３０を第２表示部６の略全面に表示する。また、第１表示部５には、動画像３０に関する関連情報として、動画像３０の撮像中に静止画像の撮影指示（ユーザーによるレリーズボタンの操作）がなされたタイミングで得られた静止画像の縮小画像３１ａ〜３１ｆを表示する。更に、動画像３０に関する関連情報として、動画像３０及び縮小画像３１ａ〜３１ｆの少なくとも１つに関する画像情報を第１表示部５に発生した余白部３２に表示する。
【００３２】
また、制御部７は、繰出量に応じて、第１表示部５に表示される縮小画像３１ａ〜３１ｆの表示数及び表示サイズの少なくとも一方を制御する。例えば、繰出量が最大である場合には、図１０に示すように、６枚の縮小画像３１ａ〜３１ｆを表示しているが、繰出量が最大でない場合（例えば、繰出量が最大量の約２／３である場合）には、図１１に示すように、６枚の縮小画像３１ａ〜３１ｆの中の４枚の縮小画像（図１１では、３１ａ〜３１ｄ）を表示する。即ち、縮小画像の表示サイズを変更せず、縮小画像の表示数を少なくする。なお、図１１に示す余白部３２を設けずに、６枚の縮小画像３１ａ〜３１ｆを表示してもよい。また、繰出量が最大でない場合（例えば、繰出量が最大量の約２／３である場合）には、図１２に示すように、縮小画像３１ａ〜３１ｆの表示サイズを変更して表示することもできる。即ち、縮小画像の表示数を変更せず、縮小画像の表示サイズを小さくする。図１１及び図１２の場合には、図１０の場合と比較して余白部３２の表示サイズも変更されるため、余白部３２に表示する画像情報の表示量や表示形式も変更する。
【００３３】
なお、動画像３０に関連する静止画像が６枚以上ある場合には、余白部３２が設けられている領域に該静止画像の縮小画像を表示することもできる。また、動画像３０に関連する静止画像が多数存在する場合には、例えば図１３に示すように、動画像３０に関連する静止画像の一部の縮小画像３３ａ〜３３ｆを第１表示部５に表示する。そして、第１表示部５の余白部３４には、タッチパネル画像として、動画像３０に関連する静止画像のリスト（静止画像のファイル名や縮小画像等を表示したもの）３５、及び上下左右への方向指示のための矢印３６を表示する。リスト３５及び矢印３６は、第１表示部５の表示面に対する接触操作を検出するタッチパネルとして機能する。
【００３４】
図１３では、第１表示部５に表示されている縮小画像３３ａ〜３３ｆがリスト３５の中の破線により囲まれている静止画像の縮小画像であることを示している。例えば、ユーザーが右方向を示す矢印３６ａをタッチした場合には、リスト３５の中の破線が右側に移動し、移動後に破線により囲まれた静止画像の縮小画像が縮小画像３３ａ〜３３ｆの代わりに第１表示部５に表示される。また、ユーザーがリスト３５の一部分をタッチした場合には、リスト３５の中の破線がタッチされた部分に移動し、移動後に破線により囲まれた静止画像の縮小画像が縮小画像３３ａ〜３３ｆの代わりに第１表示部５に表示される。
【００３５】
また、リスト３５の代わりに、タッチパネル画像としてのカレンダーや時計を余白部３４に表示することもできる。この場合には、制御部７は、動画像３０に関連する静止画像の中から、カレンダーや時計をタッチすることにより指定された日や時間に撮像された静止画像を抽出し、抽出された静止画像の縮小画像を第１表示部５に表示する。
【００３６】
なお、図１０〜図１３では、第２表示部６に撮像中の動画像３０を表示し、第１表示部５に動画像３０に関連する静止画像の縮小画像を表示する例を示したが、撮像中の動画像３０に代えて、記録媒体１３に記録されている動画像を第２表示部６に表示し、縮小画像３１ａ〜３１ｆ（３３ａ〜３３ｆ）に代えて、第２表示部６に表示される動画像の撮像されたときに撮影指示がなされたタイミングで得られた静止画像の縮小画像を第１表示部５に表示することもできる。同様に、撮像中の動画像３０に代えて、撮像中の連写画像または記録媒体１３に記録されている連写画像を第２表示部６に表示し、縮小画像３１ａ〜３１ｆ（３３ａ〜３３ｆ）に代えて、第２表示部６に表示されている連写画像の中から自動抽出された画像の縮小画像を第１表示部５に表示することもできる。この際、制御部７は、例えば人物の連写画像を撮像している場合には、顔認識機能等を用いてその人物の笑顔の画像等のベストショットを自動抽出する。
【００３７】
また、自動抽出された画像の縮小画像に代えて、第２表示部６に表示されている連写画像の撮像を開始する所定時間前から予め自動撮像された画像（所謂プリキャプチャ画像）の縮小画像を第１表示部５に表示することもできる。すべてのプリキャプチャ画像を表示することができない場合には、撮像時間が新しいものから順に表示する。
【００３８】
また、撮像中の動画像３０に代えて、スルー画像または記録媒体１３に記録されている静止画像を第２表示部６に表示し、縮小画像３１ａ〜３１ｆ（３３ａ〜３３ｆ）に代えて、記録媒体１３に記録されている画像の中から第２表示部６に表示されている画像に基づいて自動抽出された画像の縮小画像を第１表示部５に表示することもできる。例えば、予め登録されている人物のスルー画像または静止画像が第２表示部６に表示されている場合には、制御部７は、記録媒体１３に記録されている画像の中からその人物の画像を抽出する。
【００３９】
また、カメラ１にＧＰＳ等の位置計測装置が内蔵されている場合、またはカメラ１に位置計測装置が装着可能な場合には、カメラ１において画像を撮像する際に撮像された位置を示す位置情報（緯度・経度等）を画像データに付加することができる。この場合には、例えば図１４に示すように、撮像中の動画像３０に代えて、スルー画像（または、記録媒体１３に記録されている静止画像）４０を第２表示部６に表示する。そして、縮小画像３１ａ〜３１ｆ（３３ａ〜３３ｆ）に代えて、カメラ１の位置（または、第２表示部６に表示されている静止画像が撮像された位置）を示す記号４１ａを含む地図情報４１を第１表示部５に表示することもできる。そして、地図情報４１に含まれる何れかの位置で過去に撮像され、記録媒体１３に記録されている画像が存在する場合には、その画像が撮像された位置４２ａ（記号Ａ），４２ｂ（記号Ｂ）を地図情報４１上に表示することもできる。
【００４０】
また、第１表示部５の地図情報４１が表示されていない領域である余白部４３には、図１４に示すように、選択された位置４２ａ（図１４において記号Ａが破線で囲まれている）で撮像された画像に関する画像情報、例えば縮小画像、位置情報や撮影条件情報等が表示される。なお、地図情報４１及び余白部４３の表示サイズは変更可能であり、余白部４３の大きさに応じて、余白部４３に表示する画像情報の表示量及び表示形式を変更する。余白部４３が大きい場合には、位置４２ａ，４２ｂで撮像された画像に関する画像情報や第２表示部６に表示されている画像の画像情報を表示してもよい。また、余白部４３を設けずに、地図情報４１を第１表示部５の全面に表示してもよい。
【００４１】
また、制御部７は、繰出量に応じて、第１表示部５に表示される地図情報４１の縮尺率及び表示エリアの少なくとも一方を制御する。例えば、繰出量が最大でない場合（例えば、繰出量が最大量の約２／３である場合）には、図１５に示すように、地図情報４１を縮小した地図情報４４を表示する。即ち、地図情報４１の表示エリアを変更せず、地図情報４１の縮尺率を変更する。または、図１６に示すように、地図情報４１の表示エリアを変更した地図情報４５を表示することもできる。即ち、地図情報４１の縮尺率を変更せず、地図情報４１の表示エリアを狭小する。図１５及び図１６の場合には、図１４の場合と比較して余白部４３の表示サイズも変更されるため、余白部４３に表示する画像情報の表示量や表示形式も変更する。
【００４２】
なお、図１０〜図１３では、第２表示部６に縦横比が縦：横＝２：３の動画像３０を表示する例を示したが、例えば図１７に示すような縦横比が縦：横＝３：２（または、縦：横＝４：３、３：４）の動画像（または、連写画像、スルー画像等）５０を第２表示部６に表示することもできる。そして、第２表示部６の動画像５０が表示されていない領域である余白部５１に、動画像５０に関する画像情報等を表示することもできる。図１７においては、動画像５０に関連する静止画像の縮小画像５２ａ〜５２ｆを第１表示部５に表示し、第１表示部５の縮小画像５２ａ〜５２ｆが表示されていない領域である余白部５３に縮小画像５２ａ〜５２ｆに関する画像情報等を表示しているが、図１３に示すようなタッチパネル画像、図１４に示すような地図情報を第１表示部５に表示することもできる。
【００４３】
この実施の形態に係るカメラ１によれば、第１表示部５及び第２表示部６を備え、第２表示部６の第１表示部５に対する繰出量、即ちスライド部材４のスライド移動量を任意に調整することができるため、画像を表示するための表示面の大きさを任意に設定することができる。また、第１表示部５及び第２表示部６を用いて表示面を大きくすることができるため、縦位置撮影する画像及び縦位置撮影された画像を従来のカメラより大きく表示することができる。また、画像が表示されない余白部に、余白部の大きさに適した関連情報（撮影画像に関する情報、例えば縮小画像や文字・記号等により表示される画像情報）を表示することができる。即ち、画像の形状、大きさにかかわらず第１表示部５及び第２表示部６の画面全体を有効に利用することができる。  
なお、本実施の形態では、モードボタンの操作によって縦位置／横位置撮影モードを選択するようになっているが、本発明は、これに限られるものではない。例えば、周知のカメラ姿勢センサ（縦位置撮影／横位置撮影検出センサ）に基づいて、縦／横位置撮影をカメラが自動的に判別するようにしてもよい。
【００４４】
また、本実施の形態では、ユーザーの第１表示部５に対する視認性を鑑みて背面２ｂを傾斜させた構造にしたが、本発明は、これに限られるものではない。カメラ背面２ｂを撮影レンズ３の光軸に略垂直に形成し、第１表示部５もその光軸に略垂直な面に配設させたカメラにおいても本発明は適用可能である。
【００４５】
また、本実施の形態では、レンズ交換式のカメラ１について説明したが、本発明はこれに限られず、レンズ一体式のカメラにも適用可能である。
【符号の説明】
【００４６】
１…カメラ、２…カメラ本体、３…撮影レンズ、４…スライド部材、５…第１表示部、６…第２表示部、７…制御部、８…撮像素子、１２…画像処理部、１３…記録媒体、１４…操作部、１５…検出部。
【図１】
2010035145.tif 000003
【図２】
2010035145.tif 000004
【図３】
2010035145.tif 000005
【図４】
2010035145.tif 000006
【図５】
2010035145.tif 000007
【図６】
2010035145.tif 000008
【図７】
2010035145.tif 000009
【図８】
2010035145.tif 000010
【図９】
2010035145.tif 000011
【図１０】
2010035145.tif 000012
【図１１】
2010035145.tif 000013
【図１２】
2010035145.tif 000014
【図１３】
2010035145.tif 000015
【図１４】
2010035145.tif 000016
【図１５】
2010035145.tif 000017
【図１６】
2010035145.tif 000018
【図１７】
2010035145.tif 000019